(57)【要約】【課題】映像の表示時間をコンテンツの所要時間に追従させる情報処理装置及び表示処理装置を提供する。【解決手段】実施形態によれば、情報処理装置は、受信手段と、取得手段と、カウント手段と、表示制御手段と、を備える。前記受信手段は、コンテンツを受信する。前記取得手段は、前記コンテンツの所要時間を取得する。前記カウント手段は、少なくとも前記所要時間を含む第１の時間をカウントする。前記表示制御手段は、前記コンテンツを前記表示手段に表示し、前記第１の時間の満了後に、前記表示手段に対する映像の表示を終了する。【選択図】図４
2014128007.tif 000002
【特許請求の範囲】
【請求項１】
コンテンツを受信する受信手段と、
前記コンテンツの所要時間を取得する取得手段と、
少なくとも前記所要時間を含む第１の時間をカウントするカウント手段と、
前記コンテンツを前記表示手段に表示し、前記第１の時間の満了後に、前記表示手段に対する映像の表示を終了する表示制御手段と、
を備える、情報処理装置。
【請求項２】
前記カウント手段は、前記コンテンツの再生の停止に基づいて前記第１の時間のカウントを停止し、前記コンテンツの再生の再開に基づいて前記第１の時間のカウントを再開する、請求項１記載の情報処理装置。
【請求項３】
前記第１の時間は、前記所要時間に所定の第２の時間を加えた時間である、請求項１記載の情報処理装置。
【請求項４】
前記受信手段は、当該情報処理装置に接続された外部機器から前記コンテンツを受信する、請求項１記載の情報処理装置。
【請求項５】
前記取得手段は、相互制御コマンドを用いて前記外部機器から前記所要時間を取得する、請求項４記載の情報処理装置。
【請求項６】
前記取得手段は、インターネットから前記コンテンツのメタデータに基づいて前記所要時間を取得する、請求項４記載の情報処理装置。
【請求項７】
前記カウント手段を起動させる対象の第１のコンテンツの情報を記憶する記憶手段を備える、請求項１記載の情報処理装置。
【請求項８】
前記カウント手段は、前記第１のコンテンツの開始に基づいて、前記第１のコンテンツに対応する第１の時間のカウントを開始する、請求項７記載の情報処理装置。
【請求項９】
外部ソースから入力されるコンテンツの所要時間を取得し、
少なくとも前記所要時間を含む第１の時間をカウントし、
前記第１の時間の満了後に、表示手段に対する映像の表示を終了する、
表示処理方法。
【発明の詳細な説明】
【技術分野】
【０００１】
本実施形態は、映像表示を制御する情報処理装置及び表示処理方法に関する。
【背景技術】
【０００２】
従来、テレビジョン受信機は、種々のタイマー機能を備えている。テレビジョン受信機は、タイマー機能により、待機電源スイッチをオン／オフすることで、起動状態から待機状態またはその逆に切り替えることができる。
【０００３】
例えば、テレビジョン受信機は、設定したタイマー時間が満了すると、映像表示を終了し、起動状態から待機状態に遷移させるオフタイマー機能を備える。タイマー時間は、視聴者の設定により、各種コンテンツの映像を表示時間として３０分、６０分などの固定時間を設定可能である。このオフタイマー機能は、子供がテレビジョン受信機で映像を長時間視聴してしまうことを防ぐことができる。
【先行技術文献】
【特許文献】
【０００４】
【特許文献１】特開２００５−３４７７９７号公報
【発明の概要】
【発明が解決しようとする課題】
【０００５】
しかしながら、従来のオフタイマー機能は、視聴者の健康面は考慮されているが、視聴者の利便性は考慮されていない。一例として、ここでは、コンテンツの所要時間が設定されたタイマー時間よりも長い場合、コンテンツの所要時間は設定されたタイマー時間よりも短いが、途中でコンテンツの再生を停止した場合を想定する。テレビジョン受信機は、タイマー時間が経過すると、コンテンツの終了如何にかかわらず、映像表示を終了する。そのため、視聴者は、コンテンツの視聴を最後まで継続できない事態が起こり得る。
【０００６】
本発明の目的は、映像の表示時間をコンテンツの所要時間に追従させる情報処理装置及び表示処理方法を提供することである。
【課題を解決するための手段】
【０００７】
実施形態によれば、情報処理装置は、受信手段と、取得手段と、カウント手段と、表示制御手段と、を備える。前記受信手段は、コンテンツを受信する。前記取得手段は、前記コンテンツの所要時間を取得する。前記カウント手段は、少なくとも前記所要時間を含む第１の時間をカウントする。前記表示制御手段は、前記コンテンツを前記表示手段に表示し、前記第１の時間の満了後に、前記表示手段に対する映像の表示を終了する。
【図面の簡単な説明】
【０００８】
【図１】実施形態に係る一例となるテレビジョン受信機を概略的に示すブロック図。
【図２】実施形態に係る一例となるオフタイマー機能の設定画面図。
【図３】実施形態に係る一例となるオフタイマー機能を用いた映像の表示処理のフローチャート。
【図４】実施形態に係る一例となるオフタイマー機能を用いた表示処理の概略図。
【図５】実施形態に係る一例となるオフタイマー機能に用いられるデータ図。
【発明を実施するための形態】
【０００９】
以下、図面を参照して本実施形態について説明する。図１は、実施形態に係る一例となるテレビジョン受信機１（情報処理装置）を概略的に示すブロック図である。テレビジョン受信機１は、メインマイクロコンピュータ１０１、メモリユニット（記憶手段）１０２、ＬＡＮ(Local Area Network)  Ｉ／Ｆ(Interface)１０３、受光部１０４、サブマイクロコンピュータ１０５、チューナ１０６、ストリームプロセッサ１０７、第１のＨＤＭＩ(High Definition Multimedia Interface)   Ｉ／Ｆ１０８、第２のＨＤＭＩ  Ｉ／Ｆ１０９、入力切替部１１０、映像音声出力部１１１、ディスプレイ（表示手段）１１２、スピーカ１１３を備える。
【００１０】
メインマイクロコンピュータ１０１は、テレビジョン受信機１内の各要素の動作を制御する。メインマイクロコンピュータ１０１は、視聴者（ユーザ）が操作可能なリモコン３で押下されたボタン（キー）に対応する情報であるキーコードに応じて、例えば、チャンネル切替、音量調整などを制御する。メインマイクロコンピュータ１０１は、テレビジョン受信機１が待機状態にあるときには、動作を停止するマイクロコンピュータである。本実施形態では、待機状態とは、後述するようにサブマイクロコンピュータ１０５のみが動作し、テレビジョン受信機１の他の要素の動作が停止している状態をいうものとする。メインマイクロコンピュータ１０１が動作している状態を起動状態というものとする。
【００１１】
メインマイクロコンピュータ１０１は、タイマー回路（カウント手段）１０１１を備える。タイマー回路１０１１は、各種のタイマー機能を実現するために、設定されたタイマー時間をカウントする。タイマー回路１０１１は、例えば、メインマイクロコンピュータ１０１が予め設定された時刻に待機電源スイッチをオンし、テレビジョン受信機１を待機状態から起動状態に遷移させ、ディスプレイ１１２の映像表示を開始するオンタイマー機能に用いられる。タイマー回路１０１１は、例えば、メインマイクロコンピュータ１０１が予め設定されたタイマー時間が満了（終了）すると、待機電源スイッチをオフし、ディスプレイ１１２の映像表示を終了し、テレビジョン受信機１を起動状態から待機状態に遷移させるオフタイマー機能に用いられる。オフタイマー機能におけるタイマー時間は、ディスプレイ１１２における映像の表示に対応する。オフタイマー機能は、視聴時間を制限するためのものである。例えば、オフタイマー機能は、子供がコンテンツの視聴を始める前または始めた直後に親がタイマー時間を設定することで、子供の視覚的疲労を防ぐことができる。なお、メインマイクロコンピュータ１０１は、オフタイマー機能のタイマー時間が満了した際に、ディスプレイ１１２の映像表示を終了するだけでもよく、テレビジョン受信機１を起動状態のまま維持していてもよい。
【００１２】
メモリユニット１０２は、メインマイクロコンピュータ１０１が実行する制御プログラムを格納するＲＯＭ、各種情報を保存する不揮発性メモリなどを備える。メモリユニット１０２は、メインマイクロコンピュータ１０１によって情報が保存され、または、メインマイクロコンピュータ１０１によって情報が読み出される。  
ＬＡＮ  Ｉ／Ｆ１０３は、ＬＡＮケーブル７０１を介してインターネット６と接続するためのインターフェースである。ＬＡＮ  Ｉ／Ｆ１０３を介したインターネット６からの情報は、メインマイクロコンピュータ１０１に供給される。  
受光部１０４は、テレビジョン受信機１を制御するためのリモコン３で押下されたボタンに対応するキーコードを受信するインターフェースである。受光部１０４は、キーコードをサブマイクロコンピュータ１０５に供給する。
【００１３】
サブマイクロコンピュータ１０５は、テレビジョン受信機１が待機状態にあるときであっても起動しているマイクロコンピュータである。つまり、サブマイクロコンピュータ１０５は、テレビジョン受信機１が待機状態にあるときであっても、リモコン３に設けられたボタンの押下を待ち受ける。テレビジョン受信機１が起動状態にあるときには、サブマイクロコンピュータ１０５は、受信したキーコードをメインマイクロコンピュータ１０１に供給する。一方、テレビジョン受信機１が待機状態にあるときには、サブマイクロコンピュータ１０５は、電源ボタンに対応するキーコードを受信すると、動作を停止しているメインマイクロコンピュータ１０１に起動命令を送信し、メインマイクロコンピュータ１０１を起動する。
【００１４】
チューナ１０６は、デジタル放送受信用チューナである。チューナ１０６は、アンテナ２で受信したデジタル放送信号を、視聴者のリモコン３の操作に基づいて選局する。チューナ１０６はデジタル放送信号を復調し、ストリームプロセッサ １０７に供給する。  
ストリームプロセッサ１０７は、復調されたデジタル放送信号から様々なデジタル信号を取り出し、映像信号及び音声信号を入力切替部１１０に供給する。  
第１のＨＤＭＩ  Ｉ／Ｆ１０８及び第２のＨＤＭＩ  Ｉ／Ｆ１０９は、ＨＤＭＩケーブルを介してテレビジョン受信機１に相互制御可能な外部機器を接続可能なインターフェースである。本実施形態では、例えば、第１のＨＤＭＩ  Ｉ／Ｆ１０８は、ＨＤＭＩケーブル７０２を介してＤＶＤ(Digital Versatile Disc)機器４が接続されている。例えば、第２のＨＤＭＩ  Ｉ／Ｆ１０９は、ＨＤＭＩケーブル７０３を介してゲーム機器５が接続されている。第１のＨＤＭＩ  Ｉ／Ｆ１０８または第２のＨＤＭＩ  Ｉ／Ｆ１０９を介して外部機器からテレビジョン受信機１に入力された映像信号及び音声情報は、入力切替部１１０に供給される。さらに、テレビジョン受信機１は、第１のＨＤＭＩ  Ｉ／Ｆ１０８または第２のＨＤＭＩ  Ｉ／Ｆ１０９を介して、相互制御コマンドであるHDMI-CEC(High Definition Multimedia Interface-Consumer Electronics Control)を用いて外部機器と相互に情報を通信することにより、外部機器から各種データを取得したり、外部機器に制御コマンドを送信したりできる。なお、第１のＨＤＭＩ  Ｉ／Ｆ１０８または第２のＨＤＭＩ  Ｉ／Ｆ１０９に接続された外部機器は、一例であり、ハードディスクレコーダであってもよく、テレビジョン受信機１に少なくとも映像信号を入力可能なものであればよく、限定されない。
【００１５】
入力切替部１１０は、視聴者のリモコン３の操作に基づいて信号選択動作を実行する。入力切替部１１０は、選択されたいずれか１つの信号入力元に対応する映像信号及び音声信号を映像音声出力部１１１に供給する。本実施形態では、信号入力元とは、ディスプレイ１１２に映像表示し、スピーカ１１３から音声出力するための信号が入力されるインターフェースである。例えば、入力切替部１１０は、信号入力元としてチューナ１０６が選択された場合、チューナ１０６を介して取得した映像信号及び音声信号を映像音声出力部１１１に供給する。これにより、視聴者は、放送波のコンテンツを楽しむことができる。例えば、入力切替部１１０は、信号入力元として外部入力である第１のＨＤＭＩ  Ｉ／Ｆ１０８が選択された場合、第１のＨＤＭＩ  Ｉ／Ｆ１０８に接続されたＤＶＤ機器４から取得した映像信号及び音声信号を映像音声出力部１１１に供給する。これにより、視聴者は、ＤＶＤのコンテンツを楽しむことができる。例えば、入力切替部１１０は、信号入力元として外部入力である第２のＨＤＭＩ  Ｉ／Ｆ１０９が選択された場合、第２のＨＤＭＩ  Ｉ／Ｆ１０９に接続されたゲーム機器５から取得した映像信号及び音声信号を映像音声出力部１１１に供給する。これにより、視聴者は、ゲームのコンテンツを楽しむことができる。
【００１６】
映像音声出力部１１１は、映像信号をディスプレイ１１２で表示可能なフォーマットの映像信号に変換し、ディスプレイ１１２の画面サイズ合わせて適切に調整する。映像音声出力部１１１は、ディスプレイ１１２に映像信号を供給する。ディスプレイ１１２は、映像信号に基づいて画面に映像を表示する。なお、映像音声出力部１１１は、文字、図形等のキャラクタのオンスクリーン表示機能を備えていてもよい。映像音声出力部１１１は、メインマイクロコンピュータ１０１のオンスクリーン表示制御により、キャラクタ信号を発生する。映像音声出力部１１１は、キャラクタ信号を映像信号に重畳し、キャラクタをディスプレイ１１２にオンスクリーン表示する。
【００１７】
さらに、映像音声出力部１１１は、音声信号をスピーカ１１３で再生可能なフォーマットの音声信号に音響処理して増幅する。映像音声出力部１１１は、スピーカ１１３に音声信号（ステレオのＬ信号及びＲ信号）を供給する。スピーカ１１４は、音声信号に基づいて音声を出力する。なお、映像音声出力部１１１は、視聴者のリモコン３の操作に基づくメインマイクロコンピュータ１０１の制御によって動作する映像ミュート回路１１１１を備えている。映像音声出力部１１１は、映像表示を終了するときには映像ミュート回路１１１１を起動し、ディスプレイ１１２の表示状態を映像ミュート状態にする。映像ミュート状態とは、ディスプレイ１１２の画面を単一色（ 例えば、ブルーバック） にし、本来の映像信号を表示しない状態をいう。
【００１８】
次に、本実施形態に係るオフタイマー機能の設定について説明する。本実施形態では、オフタイマー機能を設定する対象となるコンテンツは、ドラマ、映画など所要時間（再生時間）が規定されているものであって、外部ソースからテレビジョン受信機１に入力されるコンテンツである。本実施形態では、所要時間とは、最初から最後までノンストップで等倍速で表示するのに要する時間をいうものとする。例えば、オフタイマー機能を設定する対象となるコンテンツは、ＨＤＭＩ  Ｉ／Ｆを介してＤＶＤ機器４から取得可能なＤＶＤのコンテンツ、ＨＤＭＩ  Ｉ／Ｆを介してゲーム機器５から取得可能なゲームのコンテンツ、ＨＤＭＩ  Ｉ／Ｆを介してハードディスクレコーダから取得可能なハードディスクレコーダに保存されているコンテンツ、チューナ１０６を介して取得可能な放送波のコンテンツ、ＬＡＮ  Ｉ／Ｆ１０３を介してインターネット６から取得可能なコンテンツなどである。したがって、第１のＨＤＭＩ  Ｉ／Ｆ１０８、第２のＨＤＭＩ  Ｉ／Ｆ１０９は、テレビジョン受信機１に接続された外部機器からコンテンツを受信する受信手段として機能する。チューナ１０６は、放送波からコンテンツを受信する受信手段として機能する。ＬＡＮ  Ｉ／Ｆ１０３は、インターネット６からコンテンツを受信する受信手段として機能する。
【００１９】
視聴者は、例えば、これから視聴しようとしているコンテンツ（以降、視聴対象のコンテンツという）がディスプレイ１１２に表示されたときにオフタイマー機能を設定する。視聴者がオフタイマー機能を設定する際に、リモコン３のメニューキーを操作すると、メインマイクロコンピュータ１０１は、ディスプレイ１１２にメニュー画面をオンスクリーン表示するように制御する。次に、視聴者がメニュー画面の中からオフタイマー機能の設定を選択すると、メインマイクロコンピュータ１０１は、ディスプレイ１１２にオフタイマー機能の設定画面をオンスクリーン表示するように制御する。図２は、実施形態に係る一例となるオフタイマー機能の設定画面図である。設定画面は、オフタイマー機能としてタイマー回路１０１１に設定するタイマー時間（設定値）の候補を表示する。
【００２０】
図２では、一例として、設定画面は、固定のタイマー時間である３ ０ 分の欄、６ ０ 分の欄、９ ０ 分の欄に加えて、コンテンツ連動の欄を表示する。視聴者は、リモコン３を用いてカーソルを各欄に移動することで、所望のタイマー時間を選択できる。
【００２１】
コンテンツ連動について説明する。コンテンツ連動は、視聴対象のコンテンツの所要時間に追従させた時間をタイマー時間に設定するものである。メインマイクロコンピュータ１０１（取得手段１０１ａ）は、外部ソースから入力される視聴対象のコンテンツの所要時間を、視聴対象のコンテンツをテレビジョン受信機１に送る外部ソースから取得する。メインマイクロコンピュータ１０１は、選択された信号入力元に応じて、視聴対象のコンテンツ、つまり、ディスプレイ１１２１に表示するコンテンツの外部ソースを判断する。視聴対象のコンテンツが第１のＨＤＭＩ  Ｉ／Ｆ１０８を介してＤＶＤ機器４から取得可能なＤＶＤのコンテンツである場合、メインマイクロコンピュータ１０１（取得手段１０１ａ）は、HDMI-CECを用いてＤＶＤ機器４（一例として、再生対象となるコンテンツ自体またはＤＶＤ機器４に挿入されているディスク）からコンテンツの所要時間を取得できる。視聴対象のコンテンツが第２のＨＤＭＩ  Ｉ／Ｆ１０９を介してゲーム機器５から取得可能なゲームのコンテンツである場合、メインマイクロコンピュータ１０１（取得手段１０１ａ）は、HDMI-CECを用いてゲーム機器５（一例として、再生対象となるコンテンツ自体またはゲーム機器５に挿入されているディスク）からコンテンツの所要時間を取得できる。視聴対象のコンテンツがＨＤＭＩ  Ｉ／Ｆを介してハードディスクレコーダから取得可能なコンテンツである場合、メインマイクロコンピュータ１０１（取得手段１０１ａ）は、HDMI-CECを用いてハードディスクレコーダ（一例として、ハードディスクレコーダに保存されている再生対象となるコンテンツ自体）からコンテンツの所要時間を取得できる。視聴対象のコンテンツがチューナ１０６を介して取得可能な放送波のコンテンツである場合、メインマイクロコンピュータ１０１（取得手段１０１ａ）は、チューナ１０６を介してデジタル放送信号からコンテンツの所要時間を取得できる。視聴対象のコンテンツがＬＡＮ  Ｉ／Ｆ１０３を介してインターネット６から取得可能なコンテンツである場合、メインマイクロコンピュータ１０１（取得手段１０１ａ）は、ＬＡＮ  Ｉ／Ｆ１０３を介してインターネット６の外部ソースからコンテンツの所要時間を取得できる。なお、メインマイクロコンピュータ１０１（取得手段１０１ａ）は、主として外部機器またはデジタル放送信号からコンテンツの所要時間を取得できない場合に、ＬＡＮ  Ｉ／Ｆ１０３を介してインターネット６から視聴対象のコンテンツのメタデータに基づいて、コンテンツの所要時間を取得するようにしてもよい。
【００２２】
メインマイクロコンピュータ１０１は、図２に示す設定画面において、コンテンツ連動の欄にコンテンツの所要時間に基づくタイマー時間を表示してもよい。メインマイクロコンピュータ１０１は、コンテンツの所要時間が例えば１３７分であれば、コンテンツ連動のタイマー時間として、コンテンツ連動の欄に「１３７分」と表示する。なお、メインマイクロコンピュータ１０１は、コンテンツの所要時間に所定時間（例えば、１０分）を加えた時間をコンテンツ連動のタイマー時間と設定してもよい。つまり、メインマイクロコンピュータ１０１は、少なくともコンテンツの所要時間を含む時間をコンテンツ連動のタイマー時間として設定する。コンテンツの所要時間に所定時間を加えるのは、コンテンツの終了と同時にディスプレイ１１２の映像表示を終了するのではなく、余裕を持たせてディスプレイ１１２の映像表示を終了するためである。
【００２３】
メインマイクロコンピュータ１０１は、視聴者のリモコン３の操作によりコンテンツ連動が選択され、決定キーが押下されたことを検出すると、タイマー時間をタイマー回路１０１１に設定してオフタイマー機能を起動する。タイマー回路１０１１は、タイマー時間が設定されると、タイマー時間のカウントを開始する。
【００２４】
なお、メインマイクロコンピュータ１０１は、コンテンツの所要時間を取得できない場合、図２に示す設定画面において、固定のタイマー時間の欄のみを表示するようにしてもよい。メインマイクロコンピュータ１０１は、設定画面において、パスコードを設定する欄を表示するようにしてもよい。パスコードは、視聴対象のコンテンツに一度設定したタイマー時間を変更する場合に、設定画面において入力するためのものである。パスコードにより、親が一度設定したオフタイマー機能の設定は、子供が勝手に変更することができなくなる。
【００２５】
次に、オフタイマー機能を用いた映像の表示処理について説明する。図３は、実施形態に係る一例となるオフタイマー機能を用いた映像の表示処理のフローチャートである。メインマイクロコンピュータ１０１は、視聴者によるオフタイマー機能の設定要求に基づいて、視聴対象のコンテンツの所要時間を取得する（Ｂｌｏｃｋ１００１）。Ｂｌｏｃｋ１００１では、映像音声出力部１１１は、視聴対象のコンテンツをディスプレイ１１２に表示する。視聴対象のコンテンツが放送波のコンテンツであれば、映像音声出力部１１１は、放送が開始されているコンテンツの映像をディスプレイ１１２に表示する。視聴対象のコンテンツがＤＶＤのコンテンツなど再生、停止などの操作可能なコンテンツであれば、映像音声出力部１１１は、視聴者のリモコン３の操作に応じて、再生開始前の画面または再生が開始されたコンテンツの映像をディスプレイ１１２に表示する。メインマイクロコンピュータ１０１は、上述のように、コンテンツの所要時間を取得する。メインマイクロコンピュータ１０１は、図２に示すように複数のタイマー時間を選択可能なオフタイマー機能の設定画面をディスプレイ１１２に表示する（Ｂｌｏｃｋ１００２）。
【００２６】
メインマイクロコンピュータ１０１は、視聴者のリモコン３の操作により、コンテンツ連動のタイマー時間が選択されたか否かを判断する（Ｂｌｏｃｋ１００３）。コンテンツ連動のタイマー時間が選択されていない場合、つまり、固定のタイマー時間が選択された場合（Ｂｌｏｃｋ１００３、Ｎｏ）、メインマイクロコンピュータ１０１は、固定のタイマー時間をタイマー回路１０１１に設定してオフタイマー機能を起動する（Ｂｌｏｃｋ１００４）。タイマー回路１０１１は、設定されたタイマー時間のカウントを開始する（Ｂｌｏｃｋ１００５）。なお、映像音声出力部１１１は、視聴者の操作に応じて、タイマー回路１０１１がタイマー時間のカウントを開始したのと同じタイミングで再生が開始されたコンテンツの映像をディスプレイ１１２に表示することもある。メインマイクロコンピュータ１０１は、タイマー回路１０１１がカウントするタイマー時間が満了したとき、ディスプレイ１１２の映像表示を終了する（Ｂｌｏｃｋ１００６）。Ｂｌｏｃｋ１００６では、映像表示出力部（表示制御手段）１１１は、固定のタイマー時間の満了後に、ディスプレイ１１２に対する映像の表示を終了する。
【００２７】
コンテンツ連動のタイマー時間が選択されている場合（Ｂｌｏｃｋ１００３、Ｙｅｓ）、メインマイクロコンピュータ１０１は、コンテンツ連動のタイマー時間をタイマー回路１０１１に設定してオフタイマー機能を起動する（Ｂｌｏｃｋ１００７）。タイマー回路１０１１は、設定されたコンテンツ連動のタイマー時間のカウントを開始する（Ｂｌｏｃｋ１００８）。なお、映像音声出力部１１１は、視聴者の操作に応じて、タイマー回路１０１１がタイマー時間のカウントを開始したのと同じタイミングで再生が開始されたコンテンツの映像をディスプレイ１１２に表示することもある。
【００２８】
メインマイクロコンピュータ１０１は、タイマー時間の満了前に、コンテンツの再生が停止されたか否かを判断する（Ｂｌｏｃｋ１００９）。Ｂｌｏｃｋ１００９では、メインマイクロコンピュータ１０１は、例えば、テレビジョン受信機１の何れかの要素に対する視聴対象のコンテンツに対応する信号の入力が無くなったことを確認することで、コンテンツの再生が停止（中断）されたか否かを判断する。なお、Ｂｌｏｃｋ１００９における「停止」は、コンテンツの再生が再開されたときに、停止時のシーンからコンテンツが再開（レジューム再生を含む）可能な操作を意味し、例えば、一時停止である。
【００２９】
コンテンツの再生が停止されていない場合（Ｂｌｏｃｋ１００９、Ｎｏ）、メインマイクロコンピュータ１０１は、タイマー回路１０１１がカウントするタイマー時間が満了したとき、ディスプレイ１１２の映像表示を終了する（Ｂｌｏｃｋ１０１４）。Ｂｌｏｃｋ１０１４では、映像表示出力部（表示制御手段）１１１は、コンテンツ連動のタイマー時間の満了後に、ディスプレイ１１２に対する映像の表示を終了する。コンテンツの再生が停止された場合（Ｂｌｏｃｋ１００９、Ｙｅｓ）、メインマイクロコンピュータ１０１は、タイマー回路１０１１がタイマー時間のカウントを停止するように制御する（Ｂｌｏｃｋ１０１０）。
【００３０】
メインマイクロコンピュータ１０１は、コンテンツの再生が再開されたか否かを判断する（Ｂｌｏｃｋ１０１１）。Ｂｌｏｃｋ１０１１では、メインマイクロコンピュータ１０１は、例えば、テレビジョン受信機１の何れかの要素に対する視聴対象のコンテンツに対応する信号の入力が再開されたことを確認することで、コンテンツの再生が再開されたか否かを判断する。コンテンツの再生が再開されていない場合（Ｂｌｏｃｋ１０１１、Ｎｏ）、メインマイクロコンピュータ１０１は、コンテンツの再生が再開されるまで待つ。コンテンツの再生が再開された場合（Ｂｌｏｃｋ１０１１、Ｙｅｓ）、メインマイクロコンピュータ１０１は、タイマー回路１０１１がタイマー時間のカウントを再開するように制御する（Ｂｌｏｃｋ１０１２）。なお、ディスプレイ１１３に表示されるコンテンツは、停止時のシーンから再開される。
【００３１】
メインマイクロコンピュータ１０１は、タイマー時間の満了前に、コンテンツの再生が停止されたか否かを判断する（Ｂｌｏｃｋ１０１３）。コンテンツの再生が停止された場合（Ｂｌｏｃｋ１０１３、Ｙｅｓ）、Ｂｌｏｃｋ１０１０に戻る。コンテンツの再生が停止されていない場合（Ｂｌｏｃｋ１０１３、Ｎｏ）、メインマイクロコンピュータ１０１は、タイマー回路１０１１がカウントするタイマー時間が満了したとき、ディスプレイ１１２の映像表示を終了する（Ｂｌｏｃｋ１０１４）。
【００３２】
図４は、図３を用いて説明したコンテンツ連動のタイマー時間を設定したオフタイマー機能を用いた表示処理の概略図である。横軸は、経過時間、縦軸は、タイマー時間のうちの残り時間を示している。実線は、タイマー時間が満了する前に、コンテンツの再生が停止されなかった場合を示している。破線は、タイマー時間が満了する前に、コンテンツの再生が停止された場合を示している。ここでは、コンテンツ連動のタイマー時間の初期値をＴ１とする。
【００３３】
タイマー時間が満了する前に、コンテンツの再生が停止されなかった場合について説明する。タイマー回路１０１１は、ｔ３（＝Ｔ１）になったときに、タイマー時間が満了し、カウントを終了する。このとき、メインマイクロコンピュータ１０１は、ディスプレイ１１２の映像表示を終了する。
【００３４】
タイマー時間が満了する前に、コンテンツの再生が停止された場合について説明する。タイマー回路１０１１は、コンテンツの再生がｔ１で停止された時、コンテンツの再生の停止に基づいてタイマー時間のカウントを停止する。メインマイクロコンピュータ１０１は、タイマー時間のカウントを開始した時（ｔ＝０）からｔ１までの再生継続時間Ｔ２を計算する。メインマイクロコンピュータ１０１は、タイマー時間の初期値Ｔ１から、再生継続時間Ｔ２を引いた残カウント時間Ｔ３をメモリユニット１０２に保存する。コンテンツの再生がｔ２で再開された時、コンテンツの再生の再開に基づいてタイマー時間のカウントを再開する。例えば、メインマイクロコンピュータ１０１は、残カウント時間Ｔ３をタイマー回路１０１１に設定する。タイマー回路１０１１は、残カウント時間Ｔ３のカウントを開始する。タイマー回路１０１１は、ｔ４になったときに、タイマー時間が満了し、カウントを終了する。このとき、メインマイクロコンピュータ１０１は、ディスプレイ１１２の映像表示を終了する。ここで、コンテンツの再生が停止された時ｔ１から再開された時ｔ２までの時間間隔を中断時間Ｔ４とすると、タイマー回路１０１１がカウントを終了するｔ４は、タイマー時間の初期値Ｔ１に中断時間Ｔ４を加えた時間に相当する。つまり、メインマイクロコンピュータ１０１は、ディスプレイ１１２に表示する映像の表示時間をタイマー時間の初期値にコンテンツの中断時間を含めた時間まで延長することができる。
【００３５】
本実施形態によれば、ディスプレイ１１２における映像の表示時間は、コンテンツの所要時間に適応してコンテンツ連動のタイマー時間を設定できる。さらに、テレビジョン受信機１は、視聴者がコンテンツ連動のタイマー時間内にコンテンツの再生を中断したとしても、コンテンツの再生が終了するまでディスプレイ１１２にコンテンツの表示を継続できる。したがって、視聴者は、オフタイマー機能を起動させたとしても、コンテンツの視聴を最後まで確実に楽しむことができる。
【００３６】
他の態様として、視聴者は、将来視聴予定のコンテンツ単位でオフタイマー機能の設定を事前登録するようにしてもよい。メインマイクロコンピュータ１０１は、視聴者のリモコン３の操作に基づいて、将来視聴予定であって、オフタイマー機能としてコンテンツ連動のタイマー時間を設定してタイマー回路１０１１を起動させる対象となるコンテンツの情報をメモリユニット１０２保存する。なお、メインマイクロコンピュータ１０１は、各コンテンツの所要時間を事前に取得し、各コンテンツの情報とタイマー時間とを対応付でメモリユニット１０２保存するようにしてもよい。
【００３７】
テレビジョン受信機１は、メモリユニット１０２に事前登録されたコンテンツが再生、または、放送が開始されたと判断したときに、必要に応じてコンテンツの所要時間を取得し、Ｂｌｏｃｋ１００７〜Ｂｌｏｃｋ１０１４の処理をする。つまり、タイマー回路１０１１は、メモリユニット１０２に事前登録されたコンテンツの開始に基づいて、事前登録されたコンテンツに対応するコンテンツ連動のタイマー時間のカウントを開始する。図５は、一例となる事前登録したコンテンツのデータ図である。メインマイクロコンピュータ１０１は、視聴者のリモコン３の操作に基づいて、曜日（または日付）毎に将来視聴予定のコンテンツの情報を対応付けてメモリユニット１０２保存する。テレビジョン受信機１は、メモリユニット１０２に事前登録されたコンテンツが対応付けられた曜日に再生、または、放送が開始されたと判断したときに、必要に応じてコンテンツの所要時間を取得し、Ｂｌｏｃｋ１００７〜Ｂｌｏｃｋ１０１４の処理をする。このような態様によれば、視聴者は、コンテンツを視聴する際に逐一オフタイマー機能を設定する必要はない。さらに、親は、子供によるコンテンツの視聴時間を適切に管理できる。
【００３８】
他の態様として、メインマイクロコンピュータ１０１は、オフタイマー機能を起動した後に、タイマー時間が満了する例えば１０分前、１分前などに、「あと１ ０ 分で終了」、「あと１ 分で終了」の文字をディスプレイ１１２にオンスクリーン表示するように制御してもよい。さらに、メインマイクロコンピュータ１０１は、タイマー時間が満了してテレビジョン受信機１を起動状態から待機状態に遷移させるときに、オフタイマー機能に基いて待機電源スイッチをオフしたことをメモリユニット１０２に保存するようにしてもよい。この場合、視聴者がテレビジョン受信機１の電源スイッチをオンすれば、テレビジョン受信機１は起動状態になる。しかし、メインマイクロコンピュータ１０１は、メモリユニット１０２の記憶状態とリモコン３の操作の有無を比較し、リモコン３の操作がなかったことに応答して、映像ミュート状態を継続する。なお、メインマイクロコンピュータ１０１は、視聴者のリモコン３の操作によりオフタイマー機能を設定したコンテンツ以外のコンテンツの表示が入力されたとしても、入力切替部１１０の制御を抑制し、映像ミュート状態を継続してもよい。つまり、メインマイクロコンピュータ１０１は、リモコン３による操作がない限り、ディスプレイ１１２に映像を表示することはない。このような態様によれば、視聴者は、オフタイマー機能で設定したタイマー時間内でのみコンテンツを視聴できる。そのため、このような態様は、子供の視覚的疲労を防ぐことができる。
【００３９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
１…テレビジョン受信機、２…アンテナ、３…リモコン、４…ＤＶＤ機器、５…ゲーム機器、１０１…メインマイクロコンピュータ、１０１ａ…取得手段、１０２…メモリユニット、１０３…ＬＡＮ  Ｉ／Ｆ、１０４…受光部、１０５…サブマイクロコンピュータ、１０６…チューナ、１０７…ストリームプロセッサ、１０８…第１のＨＤＭＩ  Ｉ／Ｆ、１０９…第２のＨＤＭＩ  Ｉ／Ｆ、１１０…入力切替部、１１１…映像音声出力部、１１２…ディスプレイ、１１３…スピーカ、１０１１…タイマー回路、１１１１…映像ミュート回路。
【図１】
2014128007.tif 000003
【図２】
2014128007.tif 000004
【図３】
2014128007.tif 000005
【図４】
2014128007.tif 000006
【図５】
2014128007.tif 000007